(57)【要約】      （修正有）【課題】発光ダイオードをＰＷＭ制御で調光し、安価に形成可能であって発光ダイオードの調光移行時の輝度変化が粗いデジタル変化となることを抑制可能なＬＥＤ点灯装置を提供する。【解決手段】ＬＥＤ点灯装置１は、発光ダイオード６のグループＡ１，Ａ２を組み合わせて構成された光源２と、ＰＷＭ信号を入力し、ＰＷＭ信号に応じて発光ダイオード６をグループＡ１，Ａ２毎に調光点灯させるように形成された複数の駆動回路３と、発光ダイオード６の調光レベルを変更するＰＷＭ信号を出力するときには、変更後のＰＷＭ信号と、変更前後のそれぞれのオンデューティの中間のオンデューティを有するＰＷＭ信号または変更前のＰＷＭ信号とを駆動回路３に割り当てて出力するように形成されたＰＷＭ制御回路４とを具備している。【選択図】図１
2011113793.tif 000002
【特許請求の範囲】
【請求項１】
発光ダイオードのグループを組み合わせて構成された光源と；  発光ダイオードの各グループに対応付けられていて、ＰＷＭ信号を入力し、当該ＰＷＭ信号に応じて発光ダイオードをグループ毎に調光点灯させるように形成された複数の駆動回路と；  外部から入力される調光信号に応じて、光源の調光レベルに対応するオンデューティを有するＰＷＭ信号を各駆動回路に個別に出力するものであって、光源の調光レベルを変更するＰＷＭ信号を出力するときには、当該変更後のＰＷＭ信号と、当該変更前後のそれぞれのオンデューティの中間のオンデューティであるＰＷＭ信号または当該変更前のＰＷＭ信号とを各駆動回路に割り当てて出力するように形成されたＰＷＭ制御回路と；を具備していることを特徴とするＬＥＤ点灯装置。
【請求項２】
発光ダイオードのグループを組み合わせて構成された光源と；  発光ダイオードの各グループに対応付けられていて、ＰＷＭ信号を入力し、当該ＰＷＭ信号に応じて発光ダイオードをグループ毎に調光点灯させるように形成された複数の駆動回路と；  外部から入力される調光信号に応じて、光源の調光レベルに対応するオンデューティを有するＰＷＭ信号を各駆動回路に個別に出力するものであって、光源の調光レベルを変更するＰＷＭ信号を出力するときには、当該変更後のＰＷＭ信号と、当該変更後のＰＷＭ信号のオンデューティの立ち上がりをＰＷＭ信号の１周期の始まりとする当該１周期の終わりにオンデューティの立ち下がりが一致するようにオフデューティ期間から出力される当該変更後のＰＷＭ信号と同一のオンデューティを有するＰＷＭ信号とを各駆動回路に振り分けて出力するように形成されたＰＷＭ制御回路と；を具備していることを特徴とするＬＥＤ点灯装置。
【請求項３】
調光信号を送信する調光装置と；  この調光装置から送信された調光信号の調光度に応じたオンデューティを有するＰＷＭ信号をＰＷＭ制御回路により生成する請求項１または２記載のＬＥＤ点灯装置と；  このＬＥＤ点灯装置の光源を配設している器具本体を有するＬＥＤ照明器具と；を具備していることを特徴とする照明装置。
【発明の詳細な説明】
【技術分野】
【０００１】
本発明は、発光ダイオードを調光点灯するＬＥＤ点灯装置および照明装置に関する。
【背景技術】
【０００２】
発光ダイオードを光源とする照明装置は、例えば舞台やスタジオ等の演出用の照明などに用いられており、色温度特性を変化させることなく調光制御を行うためにＰＷＭ（パルス幅変調）制御が用いられている（例えば特許文献１参照。）。  
【０００３】
しかし、ＰＷＭ制御による調光制御は、発光ダイオードの点灯時間と消灯時間の制御となるので、発光ダイオードの輝度変化が言わばカクカクしたデジタル的なものとなり、ちらついているように見えることがある。この現象は、輝度の低い低階調状態において、特に顕著に現れる。また、当該現象は、ＰＷＭのデューティを小さくすることにより解消可能であるが、この場合には、高機能のマイコン（ＣＰＵ）を必要とするので、照明装置が高価になっている。  
【０００４】
そこで、発光ダイオードをちらつきが生じることなく調光点灯し、安価にできることを目的とする調光装置が提案されている（特許文献２参照。）。この特許文献２の調光装置は、発光ダイオードの調光信号を発生する調光器と、調光信号を基にＰＷＭ制御信号およびアナログ制御信号を発生する制御信号発生部と、ＰＷＭ制御信号とアナログ制御信号とに基づいて発光ダイオードに流れる電流を制御するＬＥＤ制御部とを備えており、段階的に変化するデューティ間の発光ダイオードに流れる電流の不連続をアナログ電流で補完することができて、ちらつきを生じることなく調光範囲を広げることができる制御を安価に行うことができるというものである。  
【０００５】
また、ＰＷＭ調光を用いて発光ダイオードの駆動制御を行っても、輝度ムラおよびフリッカの発生を防ぐことのできるバックライト装置が提案されている（特許文献３。）。この特許文献３のバックライト装置は、ＬＥＤ駆動制御部が所定の配列方向で隣接する２つの発光ダイオードに対し、ＰＷＭ調光のオン／オフの位相を互いにずらした状態で、当該隣接する２つの発光ダイオードを点灯駆動させることにより、ユーザーが発光面の前面において、全ての発光ダイオードが常に点灯動作を行っていると視認させることが可能というものである。
【先行技術文献】
【特許文献】
【０００６】
【特許文献１】特開２００６−４０８７２号公報（第７頁、第１図）
【特許文献２】特開２００８−２１０５３６号公報（第５〜７頁、第１、４、５図）
【特許文献３】特開２００８−１９８４３０号公報（第６頁、第１〜３図）
【発明の概要】
【発明が解決しようとする課題】
【０００７】
特許文献２の調光装置は、ＰＷＭ信号のデューティ間をアナログ制御するので、アナログ制御部やアナログ信号生成部などのアナログ制御回路を設けて、発光ダイオードにアナログ電流を供給する回路構成にする必要があり、これにより、回路構成が複雑となってやはり高価になるという欠点を有する。  
【０００８】
また、特許文献３のバックライト装置は、ＰＷＭ調光のオン／オフの位相を互いにずらすための遅延時間をタイマにより計時し、位相差のタイミングでＰＷＭ信号を出力する制御を要するので、マイコン等の部品が高機能化し、回路構成が複雑になり、高価になるという欠点を有する。  
【０００９】
本発明は、発光ダイオードをＰＷＭ制御で調光し、安価に形成可能であって発光ダイオードの調光移行時の輝度変化が粗いデジタル変化となることを抑制可能なＬＥＤ点灯装置および照明装置を提供することを目的とする。
【課題を解決するための手段】
【００１０】
請求項１に記載のＬＥＤ点灯装置の発明は、発光ダイオードのグループを組み合わせて構成された光源と；発光ダイオードの各グループに対応付けられていて、ＰＷＭ信号を入力し、当該ＰＷＭ信号に応じて発光ダイオードをグループ毎に調光点灯させるように形成された複数の駆動回路と；外部から入力される調光信号に応じて、光源の調光レベルに対応するオンデューティを有するＰＷＭ信号を各駆動回路に個別に出力するものであって、光源の調光レベルを変更するＰＷＭ信号を出力するときには、当該変更後のＰＷＭ信号と、当該変更前後のそれぞれのオンデューティの中間のオンデューティであるＰＷＭ信号または当該変更前のＰＷＭ信号とを各駆動回路に割り当てて出力するように形成されたＰＷＭ制御回路と；を具備していることを特徴とする。  
【００１１】
本発明および以下の各発明において、特に言及しない限り、各構成は以下による。  
【００１２】
外部からＰＷＭ制御回路に入力される調光信号は、ＤＭＸ信号等のデジタル化された信号や電圧値信号などのアナログ信号のいずれであってもよい。また、ＰＷＭ信号であってもよい。ＰＷＭ制御回路は、ＰＷＭ信号以外の調光信号を入力するときには、当該調光信号の調光度に対応したオンデューティのＰＷＭ信号を生成して、駆動回路に出力するものである。ここで、調光信号の調光度は、発光ダイオードの調光レベルに対応するものである。  
【００１３】
ＰＷＭ信号のオンデューティは、オン期間およびオフ期間の合計期間（ＰＷＭ信号の１周期期間）に対するオン期間の割合を示す。  
【００１４】
駆動回路は、調光レベルの変更後のＰＷＭ信号を入力するグループと、調光レベルの変更前後のそれぞれのオンデューティの中間のオンデューティを有するＰＷＭ信号または調光レベルの変更前のＰＷＭ信号を入力するグループに分けられる。さらに、後者のグループは、オンデューティの異なるＰＷＭ信号をそれぞれ入力する複数のグループに分けられていてもよい。  
【００１５】
また、駆動回路は、反転回路を設ける等の工夫により、オフデューティ期間に光源を点灯させるように形成されてもよい。  
【００１６】
ＰＷＭ制御回路は、複数の駆動回路に、それぞれ同期したＰＷＭ信号を出力するものである。  
【００１７】
本発明によれば、ＰＷＭ制御回路は、外部の調光信号に応じて発光ダイオードの調光レベルを変更するときには、当該調光レベルの変更後のＰＷＭ信号と、当該調光レベルの変更前後のそれぞれのオンデューティの中間のオンデューティを有するＰＷＭ信号または当該調光レベルの変更前のＰＷＭ信号とを複数の駆動回路に割り当てて出力するので、発光ダイオードは、調光レベルの移行時に、変更後の調光レベルで点灯するグループと、変更前後の中間の調光レベルまたは変更前の調光レベルで点灯するグループとにより分かれて点灯する。これにより、発光ダイオードの調光レベルの移行時の輝度変化が粗いデジタル的な変化とならずに滑らかな変化となる。  
【００１８】
請求項２に記載のＬＥＤ点灯装置の発明は、発光ダイオードのグループを組み合わせて構成された光源と；発光ダイオードの各グループに対応付けられていて、ＰＷＭ信号を入力し、当該ＰＷＭ信号に応じて発光ダイオードをグループ毎に調光点灯させるように形成された複数の駆動回路と；外部から入力される調光信号に応じて、光源の調光レベルに対応するオンデューティを有するＰＷＭ信号を各駆動回路に個別に出力するものであって、光源の調光レベルを変更するＰＷＭ信号を出力するときには、当該変更後のＰＷＭ信号と、当該変更後のＰＷＭ信号のオンデューティの立ち上がりをＰＷＭ信号の１周期の始まりとする当該１周期の終わりにオンデューティの立ち下がりが一致するようにオフデューティ期間から出力される当該変更後のＰＷＭ信号と同一のオンデューティを有するＰＷＭ信号とを各駆動回路に振り分けて出力するように形成されたＰＷＭ制御回路と；を具備していることを特徴とする。  
【００１９】
ＰＷＭ信号のオンデューティの立ち上がりとは、オンデューティ期間の開始時間を意味し、同じく立ち下がりとは、オンデューティ期間の終了時間を意味する。  
【００２０】
駆動回路は、２つのグループに振り分けられており、発光ダイオードの調光レベルが変更されたときに、一方が１周期期間内でオンデューティ期間から始まるＰＷＭ信号、他方が１周期期間内でオフデューティ期間から始まるＰＷＭ信号が入力される。  
【００２１】
本発明によれば、ＰＷＭ制御回路は、外部の調光信号に応じて発光ダイオードの調光レベルを変更するときには、当該調光レベルの変更後のＰＷＭ信号のオンデューティを有してなり、１周期期間内においてオンデューティから開始するＰＷＭ信号と、同じくオフデューティから開始するＰＷＭ信号とを複数の駆動回路に振り分けて出力するので、ＰＷＭ信号の１周期期間において、前者のＰＷＭ信号で点灯するグループの発光ダイオードと、後者のＰＷＭ信号で点灯するグループの発光ダイオードのいずれかが点灯している期間が長くなる。特に、調光レベルが低い調光領域においては、ＰＷＭ信号の１周期期間内におけるオンデューティ期間が２倍となり、発光ダイオードのグループのいずれかが点灯している点灯期間が２倍となる。これにより、発光ダイオードの調光レベルの移行時の輝度変化が分かりにくくなる。  
【００２２】
請求項３に記載の照明装置の発明は、調光信号を送信する調光装置と；この調光装置から送信された調光信号の調光度に応じたオンデューティを有するＰＷＭ信号をＰＷＭ制御回路により生成する請求項１または２記載のＬＥＤ点灯装置と；このＬＥＤ点灯装置の光源を配設している器具本体を有するＬＥＤ照明器具と；を具備していることを特徴とする。  
【００２３】
ＬＥＤ点灯装置は、器具本体に配設されていてもよく、光源を除く残余が器具本体と別置されていてもよい。  
【００２４】
調光装置は、調光信号を有線または無線のいずれで送信してもよい。無線の場合、調光装置に送信装置、ＰＷＭ制御装置に受信装置が設けられる。  
【００２５】
本発明によれば、調光装置からＬＥＤ照明器具の光源の調光レベルをＰＷＭ信号で変更させることができるとともに、変更された調光レベルの移行時の輝度変化が滑らかで分かりにくい照明装置が提供される。
【発明の効果】
【００２６】
請求項１の発明によれば、発光ダイオードの調光レベルが変更されて変更後の調光レベルに移行するときに、光源を構成する発光ダイオードは、変更後の調光レベルで点灯するグループと、変更前後の中間の調光レベルまたは変更前の調光レベルで点灯するグループとにより分かれて点灯制御されるので、簡易な制御構成で安価に形成することができるとともに、発光ダイオードの調光レベルの移行時の輝度変化を滑らかなデジタル的な変化とすることができて、人に輝度変化を認識させにくくすることができる。  
【００２７】
請求項２の発明によれば、発光ダイオードの調光レベルが変更されて変更後の調光レベルに移行するときに、光源を構成する発光ダイオードは、ＰＷＭ信号の１周期期間内においてオンデューティから開始するＰＷＭ信号で点灯するグループと、同じくオフデューティから開始するＰＷＭ信号で点灯するグループとに分かれて点灯されて、光源における発光ダイオードのいずれかが点灯している期間が長くなるので、簡易な点灯制御構成で安価に形成することができるとともに、発光ダイオードの調光レベルの移行時の輝度変化を分かりにくくすることができて、人に輝度変化を認識させにくくすることができる。  
【００２８】
請求項３の発明によれば、調光装置から調光信号を送信することにより、ＬＥＤ照明器具の光源の調光レベルをＰＷＭ信号で変更させることができるとともに、変更された調光レベルの移行時の輝度変化を人に認識させにくくすることのできる照明装置を提供することができる。
【図面の簡単な説明】
【００２９】
【図１】本発明の実施例１を示すＬＥＤ点灯装置の概略ブロック図。
【図２】同じく、調光レベルの変更におけるＰＷＭ制御回路の制御を示すタイミング図。
【図３】本発明の実施例２を示すＬＥＤ点灯装置の調光レベルの変更におけるＰＷＭ制御回路の制御を示すタイミング図。
【図４】本発明の実施例３を示す照明装置の概略ブロック図。
【図５】同じく、光源の概略正面図。
【図６】同じく、ＬＥＤ照明器具の概略正面図。
【図７】同じく、ＬＥＤ照明器具の概略側断面図。
【発明を実施するための形態】
【００３０】
以下、本発明の一実施の形態
について、図面を参照して説明する。  
【００３１】
本発明において、光源は、発光ダイオードのグループを組み合わせて構成され、複数の駆動回路は、発光ダイオードの各グループにそれぞれ対応付けられていて、入力したＰＷＭ信号に応じて当該グループ毎に発光ダイオードを調光点灯させる。ＰＷＭ制御回路は、光源の調光レベルを変更後の調光レベルに移行させるときに、発光ダイオードのグループ毎に調光点灯のレベルやタイミングを変化させるＰＷＭ信号を駆動回路に出力するものである。
【実施例１】
【００３２】
図１および図２は、本発明の実施例１を示し、図１はＬＥＤ点灯装置の概略ブロック図、図２は調光レベルの変更におけるＰＷＭ制御回路の制御を示すタイミング図である。  
【００３３】
図１において、ＬＥＤ点灯装置１は、光源２、複数の駆動回路３、ＰＷＭ制御回路４を有してなり、さらに直流電源回路５を有して形成されている。  
【００３４】
光源２は、発光ダイオード６のグループＡ１，Ａ２を組み合わせて構成されている。グループＡ１，Ａ２は、複数個の発光ダイオード６が直列接続されて図示しない基板に実装されたＬＥＤ回路からなっている。発光ダイオード６は、可視光例えば白色光を放射するように形成されている。  
【００３５】
駆動回路３は、発光ダイオード６の各グループＡ１，Ａ２にそれぞれ対応付けられて設けられている。そして、駆動回路３は、制御部７を主体として形成され、光源２の直列接続された発光ダイオード６に接続されている。また、駆動回路３は、直流電源回路５から電力が供給されている。  
【００３６】
制御部７は、ＰＷＭ制御回路４から出力されたＰＷＭ信号を入力し、ＰＷＭ信号のオンデューティの期間にわたって駆動回路３の出力をオンさせる。これにより、発光ダイオード６は、ＰＷＭ信号のオンデューティの期間、そのグループ毎に駆動回路３から供給される電流が流れて調光点灯する。そして、ＰＷＭ信号のオンデューティ（オンデューティ比）が大きくなるに従い、発光ダイオード６に電流が流れている期間が長くなるので、発光ダイオード６の調光レベル（調光率）が上昇する。すなわち、発光ダイオード６の調光レベルは、ＰＷＭ信号のオンデューティが０％のときには０％であり、ＰＷＭ信号のオンデューティが１００％のときには１００％となるものである。  
【００３７】
そして、駆動回路３は、ＰＷＭ制御回路４からＰＷＭ信号Ａを入力するグループＢ１と、ＰＷＭ信号Ｂを入力するグループＢ２に分けられる。グループＢ１のそれぞれの駆動回路３は、発光ダイオード６のグループＡ１にそれぞれ対応付けられていて、グループＡ１の発光ダイオード６を点灯制御する。また、グループＢ２のそれぞれの駆動回路３は、発光ダイオード６のグループＡ２にそれぞれ対応付けられていて、グループＡ２の発光ダイオード６を点灯制御する。すなわち、グループＡ１の発光ダイオード６は、ＰＷＭ信号Ａに基づいて調光点灯され、グループＡ２の発光ダイオード６は、ＰＷＭ信号Ｂに基づいて調光点灯される。  
【００３８】
直流電源回路５は、各駆動回路３に接続されており、各駆動回路３に電力を供給する。直流電源回路５は、例えば、商用交流電源を整流平滑した整流平滑回路、または商用交流電源を整流または整流平滑し、これに昇圧チョッパ回路、降圧チョッパ回路あるいは昇降圧チョッパ回路を接続した直流電源回路とすることができる。また、直流電源回路５は、定電圧源または定電流源であってもよい。  
【００３９】
ＰＷＭ制御回路４は、直流電源回路５に接続されており、直流電源回路５から供給される電力により動作している。そして、ＰＷＭ制御回路４は、外部の図示しない調光装置から出力された調光信号を入力し、当該調光信号の調光度（０〜１００％）に対応するオンデューティ（オンデューティ比）のＰＷＭ信号をＰＷＭ生成クロックに基づいて生成して、ＰＷＭ信号Ａ，ＢとしてグループＢ１，Ｂ２の駆動装置３にそれぞれ出力するように形成されている。ここで、調光信号の調光度は、発光ダイオード６の調光レベルに対応している。調光信号Ａおよび調光信号Ｂは、同期して出力されるとともに、前記調光信号の１周期時間（例えば２０ｍｓ）内に例えば３２周期（１周期時間０．６２５ｍＳ）分出力される。  
【００４０】
そして、ＰＷＭ制御回路４は、入力した調光信号の調光度が変更されると、変更された調光度に対応したオンデューティ（オンデューティ比）を有するＰＷＭ信号を生成するとともに、当該変更後のＰＷＭ信号と当該変更前のＰＷＭ信号とを駆動回路３のグループＢ１，Ｂ２に振り分けて出力するように形成されている。例えば、変更後のＰＷＭ信号をＰＷＭ信号ＡとしてグループＢ１の各駆動回路３に個別に出力し、変更前のＰＷＭ信号をＰＷＭ信号ＢとしてグループＢ２の各駆動回路３に個別に出力するものである。  
【００４１】
そして、前記振り分けによるＰＷＭ信号の出力制御は、発光ダイオード６の調光レベルを変更するときに実行される。すなわち、ＰＷＭ制御回路４は、図２に示すように、入力された調光信号に応じて発光ダイオード６の調光レベルを例えば調光レベル１から調光レベル２に変更するＰＷＭ信号を生成すると、グループＢ１の駆動回路３には、変更後の調光レベルである調光レベル２に対応するＰＷＭ信号が調光信号の１周期時間（例えば２０ｍｓ）にわたって出力され、グループＢ２の駆動回路３には、変更前の調光レベルである調光レベル１に対応するＰＷＭ信号が調光信号の１周期時間の前半にわたり、例えば１６周期分出力され、変更後の調光レベルである調光レベル２に対応するＰＷＭ信号が調光信号の１周期時間の後半にわたり、例えば１６周期分出力される。  
【００４２】
また、発光ダイオード６の調光レベルを例えば調光レベル２から調光レベル３に変更するＰＷＭ信号を生成すると、グループＢ１の駆動回路３には、調光レベル３に対応するＰＷＭ信号が調光信号の１周期時間（例えば２０ｍｓ）にわたって出力され、グループＢ２の駆動回路３には、調光レベル２に対応するＰＷＭ信号が調光信号の１周期時間の前半にわたり、例えば１６周期分出力され、調光レベル３に対応するＰＷＭ信号が調光信号の１周期時間の後半にわたり、例えば１６周期分出力される。ここで、調光レベル１〜調光レベル３は、発光ダイオード６の調光レベルが次第に増加している任意のレベルを示す。  
【００４３】
なお、発光ダイオード６の調光レベルが減少するものであると、図２の説明と同様に、例えば、グループＢ１の駆動回路３には、減少した変更後の調光レベルに対応するＰＷＭ信号が調光信号の１周期時間（例えば２０ｍｓ）にわたって出力され、グループＢ２の駆動回路３には、変更前の調光レベルに対応するＰＷＭ信号が調光信号の１周期時間の前半にわたり、例えば１６周期分出力され、変更後の調光レベルに対応するＰＷＭ信号が調光信号の１周期時間の後半にわたり、例えば１６周期分出力されるものである。また、変更前のＰＷＭ信号は、変更前後のそれぞれのオンデューティの中間のオンデューティを有するＰＷＭ信号に代えてもよい。  
【００４４】
次に、本発明の実施例１の作用について述べる。  
【００４５】
ＬＥＤ点灯装置１のＰＷＭ制御回路４は、外部の調光装置から入力された調光信号に応じて、発光ダイオード６の調光レベルに対応するオンデューティ（オンデューティ比）を有するＰＷＭ信号を生成して、グループＢ１，Ｂ２の各駆動回路３に出力する。これにより、発光ダイオード６は、調光信号に対応した調光レベルで調光点灯する。発光ダイオード６からは、調光レベルに応じた可視光（白色光）が放射される。  
【００４６】
そして、ＰＷＭ制御回路４は、発光ダイオード６の調光レベルを変更する調光信号が入力されると、当該変更後のＰＷＭ信号を生成するとともに、グループＢ１の駆動回路３に当該変更後のＰＷＭ信号を例えば調光信号の１周期期間にわたって出力し、グループＢ２の駆動回路３に例えば変更前のＰＷＭ信号を例えば調光信号の１周期期間の前半にわたって出力した後に、変更後のＰＷＭ信号を調光信号の１周期期間の後半にわたって出力する。これにより、グループＡ１の発光ダイオード６は、調光信号の１周期期間にわたって変更後の調光レベルで点灯し、グループＡ２の発光ダイオード６は、調光信号の１周期期間の前半で変更前の調光レベルで点灯し、調光信号の１周期期間の後半で変更後の調光レベルで点灯する。  
【００４７】
光源２は、調光レベルの移行時、グループＡ２の発光ダイオード６の調光レベルが段階的に変化するので、全体として、発光ダイオード６の輝度変化が粗いデジタル的な変化とならずに滑らかなデジタル的な変化となる。したがって、発光ダイオード６の調光レベルが変更されたときに、人に光源２の輝度変化を認識させにくくすることができる。  
【００４８】
また、調光レベルの移行時、発光ダイオード６は、変更後の調光レベルで点灯するグループＡ１と、変更前の調光レベルで点灯するグループＡ２とにより分かれて点灯制御されるので、簡易な制御構成であり、ＬＥＤ点灯装置１を安価に形成することができる。  
【００４９】
なお、ＬＥＤ点灯装置１は、光源２を発光ダイオード６のグループＡ１，Ａ２に分け、複数の駆動回路３をグループＢ１，Ｂ２に分けたが、これに限らず、光源２の発光ダイオード６および駆動回路３をそれぞれ３つ以上のグループに分けて構成されてもよい。そして、ＰＷＭ制御回路４は、一つのグループの駆動回路３に変更後のＰＷＭ信号を出力し、残余のグループの駆動回路３に変更前後のそれぞれのオンデューティの中間のオンデューティを有するＰＷＭ信号または変更前のＰＷＭ信号とを異ならせて出力するように、ＰＷＭ信号を駆動回路３に割り当てて出力するように形成されてもよい。  
【実施例２】
【００５０】
図３は、本発明の実施例２を示すＬＥＤ点灯装置の調光レベルの変更におけるＰＷＭ制御回路の制御を示すタイミング図である。  
【００５１】
図３に示す制御を行うＬＥＤ点灯装置は、図１に示すＬＥＤ点灯装置１と同様の構成であり、ＰＷＭ制御回路４の制御のみが異なるものである。ＰＷＭ制御回路４は、外部の調光装置からの調光信号に応じて、発光ダイオード６の調光レベルを変更するＰＷＭ信号を出力するときには、変更後のＰＷＭ信号と、変更後のＰＷＭ信号のオンデューティの立ち上がりをＰＷＭ信号の１周期の始まりとする当該１周期の終わりにオンデューティの立ち下がりが一致するようにオフデューティ期間から出力される変更後のＰＷＭ信号と同一のオンデューティ（オンデューティ比）を有するＰＷＭ信号とをグループＢ１，Ｂ２の駆動回路３に振り分けて出力するように形成されている。すなわち、同一のオンデューティ（オンデューティ比）を有するものであって、オンデューティ期間から始まるＰＷＭ信号と、オフデューティ期間から始まるＰＷＭ信号とを同期して出力するように形成されている。  
【００５２】
例えば、図３に示すように、発光ダイオード６の調光レベルを例えば調光レベル１から調光レベル４に変更するＰＷＭ信号を生成すると、グループＢ１の各駆動回路３には、調光レベル１、調光レベル２、調光レベル３および調光レベル４のオンデューティ（オンデューティ比）をそれぞれ有するオンデューティ期間から始まるＰＷＭ信号をＰＷＭ信号Ａとしてそれぞれ例えば８周期分出力し、グループＢ２の各駆動回路３には、同じくオフデューティ期間から始まるＰＷＭ信号をＰＷＭ信号Ｂとしてそれぞれ８周期分出力する。  
【００５３】
グループＡ１の発光ダイオード６は、ＰＷＭ信号の１周期期間の前半においてオンデューティ期間わたって調光レベル１〜４で点灯し、グループＡ２の発光ダイオード６は、ＰＷＭ信号の１周期期間の後半においてオンデューティ期間にわたって調光レベル１〜４で点灯するとともに、調光信号の１周期期間にわたって調光レベル１から調光レベル４で段階的に点灯していく。これにより、光源２は、全体として、ＰＷＭ信号の１周期期間における発光ダイオード６の点灯期間が長期間に、消灯期間が短時間に制御されるとともに、調光レベルが段階的に変化していくので、発光ダイオード６の輝度変化が粗いデジタル
的な変化とならずに滑らかなデジタル的な変化となる。したがって、発光ダイオード６の調光レベルが変更されたときに、人に光源２の輝度変化が分かりにくくすることができる。  
【００５４】
特に、調光レベルが低い調光領域においては、調光レベルの変更前後の調光レベル差による発光ダイオード６の輝度変化は、目視的に顕著に現れる。ここで、調光レベルが低い調光領域においては、ＰＷＭ信号の１周期期間における合計のオンデューティ期間が２倍となり、発光ダイオード６のグループＡ１，Ａ２のいずれかが点灯している点灯期間が２倍となるので、発光ダイオード６の調光レベルの移行時の輝度変化をより分かりにくくすることができる。また、ＰＷＭ制御装置４は、前記制御動作を行う簡易な構成であるので、ＬＥＤ点灯装置１を安価に形成することができる。  
【実施例３】
【００５５】
図４ないし図７は、本発明の実施例３を示し、図４は照明装置の概略ブロック図、図５は光源の概略正面図、図６はＬＥＤ照明器具の概略正面図、図７はＬＥＤ照明器具の概略側断面図である。なお、図１と同一部分には同一符号を付して説明は省略する。  
【００５６】
照明装置８は、図４に示すように、調光装置９、図１に示すＬＥＤ点灯装置１およびＬＥＤ照明器具１０を有して構成されている。  
【００５７】
調光装置９は、例えば調光卓であり、例えば２５６階調の調光信号であるＤＭＸ信号を送信する。このＤＭＸ信号は、米国劇場技術協会（ＵＳＩＴＴ）が規格した演出分野などに用いられるデジタル信号であり、調光制御用の調光信号の規格として用いられているＤＭＸ５１２を指している。調光装置４は、例えば２０ミリ秒（ｍｓ）の周期でＤＭＸ信号を送信する。  
【００５８】
ＬＥＤ照明器具１０は、光源２を配設している器具本体１１を有して構成されている。そして、ＬＥＤ照明器具１０は、図７に示すように、例えばスポットライトに構成されており、器具本体１１が光源ユニット１２およびレンズユニット１３を備えている。光源ユニット１２からは、発光ダイオード６の放射光が出射される。レンズユニット１３は、光を集光して外部に投影する投影レンズ１４ａ、１４ｂを備えている。光源ユニット１２から出射される光は、図６に示すように、レンズユニット１３の正面に設けられた透光部１５を透光して照明対象へ投射される。そして、器具本体１１は、天井等の造営物に取り付けられたアーム１６に投射方向を回動自在に取り付けられている。  
【００５９】
図７において、光源ユニット１２は、面状光源である光源２が備えられ、この光源２に発生する熱が図示しない放熱器によって外部空間に放熱されるように構成されている。光源ユニット１２には、光源２に点灯電源を供給する電源部１７、光源２を点灯制御する制御部１８、筒状光路１９などが備えられている。電源部１７には、図１に示すＬＥＤ点灯装置１の駆動回路３および直流電源回路５などが設けられている。制御部１８には、ＰＷＭ制御回路４が回路基板２０に実装された電子部品などにより形成されている。回路基板２０には、図示しない伝送線が接続されており、制御部１８は、伝送線を介して調光装置９から送信された調光信号を入力する。筒状光路１９は、光源２の光をレンズユニット１３に導光するものである。  
【００６０】
光源２は、図５に示すように、平板状のプリント基板２１に複数個のチップ状の発光ダイオード６が実装されている。発光ダイオード６は、白色光を放射するものが用いられている。なお、補色用として赤、緑および青の光を放射する発光ダイオード６を用いていてもよい。  
【００６１】
光源２は、複数個の発光ダイオード６が直列接続されるとともに、矩形に配列された複数のＬＥＤ回路２２にグループ分けされている。これら複数のＬＥＤ回路２２は、複数個が組み合わせられることにより、発光域が仮想円形２３に近似するように構成されている。  
【００６２】
光源２は、１０個のＬＥＤ回路２４ａ〜２４ｊにグループ分けされている。各ＬＥＤ回路２４ａ〜２４ｊは、それぞれ個別に電源端子２５ａ〜２５ｊを有し、これら電源端子２５ａ〜２５ｊに対して制御部１８の点灯制御で電源部１７から点灯電源が供給されて、各ＬＥＤ回路２４ａ〜２４ｊの発光ダイオード６が点灯する。  
【００６３】
各ＬＥＤ回路２４ａ〜２４ｊは、複数個の発光ダイオード６が矩形に配列されて形成されているが、複数個の発光ダイオード６の配列が異なる大きさの矩形に配列された３種類に分類されている。各ＬＥＤ回路２４ａ〜２４ｊは、３種類とも、矩形短辺の長さが同じであり、この短辺方向には７個の発光ダイオード６が直列接続され、この直列接続の回路がグループ単位で並列接続されている。光源２の中央部のＬＥＤ回路２４ｃ、２４ｈは、矩形長辺の長さが最長である最長グループであり、両端部のＬＥＤ回路２４ａ、２４ｅ、２４ｆ、２４ｊは、矩形長辺の長さが最短である最短グループであり、最長グループと最短グループとの間の中間部のＬＥＤ回路２４ｂ，２４ｄ，２４ｇ，２４ｉは、矩形長辺の長さが中間長の中間グループである。そして、ＬＥＤ回路２４ａ，２４ｃ，２４ｅ，２４ｇ，２４ｉによって、図１または図４に示す発光ダイオード６のグループＡ１が形成され、ＬＥＤ回路２４ｂ，２４ｄ，２４ｆ，２４ｈ，２４ｊによって、発光ダイオード６のグループＡ２が形成されている。  
【００６４】
照明装置８は、ＬＥＤ点灯装置１を具備するので、安価に形成することができて、調光装置９から送信された調光信号により、ＬＥＤ照明器具１０の光源２の調光レベルをＰＷＭ信号で変更させることができるとともに、変更された調光レベルの移行時の輝度変化が分かりにくく、人に認識させにくくすることができる。
【産業上の利用可能性】
【００６５】
本発明は、舞台やスタジオなどを照明する演出用照明装置の他、室内などを調光照明する照明装置に利用することができる。
【符号の説明】
【００６６】
１…ＬＥＤ点灯装置、  ２…光源、  ３…駆動回路、  ４…ＰＷＭ制御回路、  ６…発光ダイオード、  ８…照明装置、  ９…調光装置、  １０…ＬＥＤ照明器具
【図１】
2011113793.tif 000003
【図２】
2011113793.tif 000004
【図３】
2011113793.tif 000005
【図４】
2011113793.tif 000006
【図５】
2011113793.tif 000007
【図６】
2011113793.tif 000008
【図７】
2011113793.tif 000009